(57)【特許請求の範囲】
【請求項１】
複数のリンク部材を回動自在に直列に接続して構成され、一端の前記リンク部材が橋桁に連結され、他端の前記リンク部材が前記橋桁の連結対象に連結される橋桁連結装置であって、
前記リンク部材は、隣の前記リンク部材が一平面内で回動自在に連結される第１連結部と、隣の前記リンク部材が前記一平面に交差する平面内で回動自在に連結される第２連結部とを備えることを特徴とする橋桁連結装置。
【請求項２】
前記第１連結部は、前記リンク部材を回動自在に連結する第１のピンが挿通される第１の挿通孔を備え、
前記第２連結部は、前記第１の挿通孔と直交する方向に第２のピンが挿通される第２の挿通孔を備えることを特徴とする請求項１に記載の橋桁連結装置。
【請求項３】
回動する前記リンク部材に変形させられる弾性部材を備えることを特徴とする請求項１又は２に記載の橋桁連結装置。
【請求項４】
前記弾性部材は、隣り合う一対の前記リンク部材の側面を覆う被覆部と、
前記弾性部材に取り付けられる取付部とを備えることを特徴とする請求項３に記載の橋桁連結装置。
【発明の詳細な説明】
【技術分野】
【０００１】
本発明は、複数のリンク部材を直列に接続して構成された橋桁連結装置に関する。
【背景技術】
【０００２】
この種の橋桁連結装置は、下記の特許文献１に開示されている。特許文献１では、複数のリンク棒を同一平面内で回動自在となるように直列に接続し、両端に接続されたリンク棒を隣り合った橋桁にそれぞれ連結している。
【先行技術文献】
【特許文献】
【０００３】
【特許文献１】特開２００７−１２０２８５号公報
【発明の概要】
【発明が解決しようとする課題】
【０００４】
上記橋桁連結装置は、リンク棒同士の回動方向に沿った一平面内での動きには追従できるものの、この方向に交差する面外方向への橋桁の動きには追従できなかった。
【０００５】
本発明の目的は斯かる課題に鑑みてなされたもので、橋桁の様々な動きに追従することができる橋桁連結装置を提供することである。
【課題を解決するための手段】
【０００６】
このような目的を達成するために、本発明の橋桁連結装置は、複数のリンク部材を回動自在に直列に接続して構成され、一端の前記リンク部材が橋桁に連結され、他端の前記リンク部材が前記橋桁の連結対象に連結される橋桁連結装置であって、前記リンク部材が、隣の前記リンク部材が一平面内で回動自在に連結される第１連結部と、隣の前記リンク部材が前記一平面に交差する平面内で回動自在に連結される第２連結部とを備えることを特徴とする。
また、本発明は、前記第１連結部が、前記リンク部材を回動自在に連結する第１のピンが挿通される第１の挿通孔を備え、前記第２連結部が、前記第１の挿通孔と直交する方向に第２のピンが挿通される第２の挿通孔を備えることを特徴とする。
また、本発明は、回動する前記リンク部材に変形させられる弾性部材を備えることを特徴とする。
また、本発明は、前記弾性部材が、隣り合う一対の前記リンク部材の側面を覆う被覆部と、前記弾性部材に取り付けられる取付部とを備えることを特徴とする。
【発明の効果】
【０００７】
本発明によれば、第１の連結部と第２の連結部とでリンク部材が異なる平面内で回動自在に連結されることで、橋桁の様々な動きに橋桁連結装置を追従させることができる。
【図面の簡単な説明】
【０００８】
【図１】本発明の一実施形態の橋桁連結装置を示す側面図であり、（ａ）は非作動時，（ｂ）は作動時を示している。
【図２】橋桁連結装置が備えるリンク部材を示す図であり、（ａ）は一側方から見た図，（ｂ）は（ａ）と直交する側方から見た図である。
【図３】橋桁連結装置が備える弾性部材を示す図であり、（ａ）は一側方から見た図，（ｂ）は（ａ）のＡ−Ａ矢視断面図，（ｃ）は（ａ）と直交する側方から見た図である。
【図４】図２のリンク部材が連結された状態を示す側面図であり、（ａ）は上下方向に回動自在に連結された状態，（ｂ）は上下方向に交差する方向に回動自在に連結された状態を示している。
【図５】リンク部材の連結箇所を拡大して示す側面図である。
【図６】リンク部材の変形例を示す図であり、（ａ）は一側方から見た図，（ｂ）は（ａ）と直交する側方から見た図である。
【図７】図６のリンク部材が連結された状態を示す一側面図である。
【発明を実施するための形態】
【０００９】
以下、図面を参照して、本発明の一実施形態を説明する。
図１は、本実施形態の橋桁連結装置を示す側面図であり、（ａ）は非作動時，（ｂ）は作動時を示している。なお、以下の説明で用いる上下，前後，左右の各方向は説明に用いる各図に示している。この上下，前後，左右は説明のために記載したもので、実際の配置と異なってよいことはもちろんである。
【００１０】
図１に示す橋桁連結装置は、複数のリンク部材４を直列に接続して構成されている。橋桁連結装置は、後端のリンク部材４がブラケット１１で橋桁１に連結され、前端のリンク部材４が橋桁１の連結対象となる橋脚２にブラケット２１で連結されている。
【００１１】
図２に示すように、リンク部材４は、正方形の断面形状を有した棒状部４１と、棒状部４１の長さ方向の一端面から長さ方向に延びた第１連結部４２と、棒状部４１の長さ方向の他端面から長さ方向に延びた第２連結部４３とを備えている。第１連結部４２は、棒状部４１の一端面の厚さ方向の中央部から延びている。第１連結部４２の幅方向の中央部には、第１連結部４２を厚さ方向に貫通した貫通孔４２ａが設けられている。
【００１２】
第２連結部４３は、棒状部４１の他端面の幅方向の両端部から延びている。第２連結部４３の幅方向の中央部には、第２連結部４３を幅方向に貫通した貫通孔４３ａが設けられている。第２連結部４３の幅方向の外面には、貫通孔４３ａの開口端部を拡径させて構成された拡径部４３ｂが設けられている。
【００１３】
図１に示すように、前端のリンク部材４は、第２連結部４３が連結ピン６で上下方向に回動自在にブラケット２１に支持されている。また、後端のリンク部材４は、第１連結部４２が連結ピン６で上下方向に回動自在にブラケット１１に支持されている。
【００１４】
また、前端のリンク部材４と後端のリンク部材４との間に接続された各リンク部材４は、前側のリンク部材４が備える第１連結部４２と、後側のリンク部材４が備える第２連結部４３とが連結ピン６で連結され、前後のリンク部材４に対して上下方向又は上下方向に直交する方向に連結ピン６を中心として回動自在となっている。
【００１５】
図４に示すように、前側のリンク部材４（４Ａ）と後側のリンク部材４（４Ｂ）とは、リンク部材４Ｂが第２連結部４３同士の間に備えた収容室４３Ｃにリンク部材４Ａの第１連結部４２が進入し、貫通孔４２ａ及び貫通孔４３ａに連結ピン６が挿通されることで接続されている。
【００１６】
図１，４（ａ）に示すように、上下方向に回動自在に連結されたリンク部材４同士の接続箇所には、弾性部材５が取り付けられている。弾性部材５は、ゴム等の弾性材から形成されており、図３に示すように、リンク部材４同士の接続箇所の外側（橋桁連結装置の作動時にリンク部材４同士が開く側）を覆う被覆部５１と、被覆部５１の一縁部及び他縁部から被覆部５１の内側に延びた取付部５２とを備えている。
【００１７】
被覆部５１は、平板体を長さ方向の端部が内側に位置するようにＬ字状に屈曲させ、その一縁部及び他縁部の内面に支持部５１ａを設けた形状を有している。取付部５２は、被覆部５１の長さ方向の中央部に位置した被覆部５１の屈曲部分から、被覆部５１の内側に延びており、一縁側から他縁側にかけて貫通孔５２ａが貫通している。被覆部５１の一縁側の取付部５２と他縁側の取付部５２とは、互いの貫通孔５２ａが対向して配置されるように設けられている。
【００１８】
図１に示すように、弾性部材５は、リンク部材４同士が上下方向に回動自在に連結された連結箇所に、内面を下側及び上側に交互に向けて取り付けられている。図４（ａ）及び図５に示すように、弾性部材５は、リンク部材４Ａの端部を被覆部５１の長さ方向の一端側で、リンク部材４Ｂの前端部を被覆部５１の長さ方向の他端側でそれぞれ覆い、一対の支持部５１ａでリンク部材４Ａ及びリンク部材４Ｂを挟み込むように支持する。弾性部材５は、貫通孔５２ａに連結ピン６が挿通されることで、リンク部材４Ａ及びリンク部材４Ｂに取り付けられている。
【００１９】
弾性部材５と共に連結ピン６に軸支されたリンク部材４Ａ及びリンク部材４Ｂは、被覆部５１の長さ方向の一端側の内面にリンク部材４Ａの一側面が支持され、被覆部５１の長さ方向の他端側の内面にリンク部材４Ｂの一側面が支持されることで、互いに直交している。
【００２０】
リンク部材４Ａ，４Ｂを上下方向に回動自在に連結する連結ピン６は、図４（ａ）に示すように、両端部の固着部６１を弾性部材５の両取付部５２の外側に位置させている。また、リンク部材４Ａ，４Ｂを上下方向に直交する方向に回動自在に連結する連結ピン６は、図４（ｂ）に示すように、両端部の固着部６１を拡径部４３ｂ内に位置させている。
【００２１】
図５に示すように、リンク部材４Ａが実線で示すようにリンク部材４Ｂに直交した状態から、２点鎖線で示すように外側に開くように連結ピン６を中心として回動すると、弾性部材５の被覆部５１は、リンク部材４Ａの外側を向いた一側面を支持した状態で弾性変形し、リンク部材４Ａと共に外側に開く。そして、外側に開いたリンク部材４Ａが、実線で示すように連結ピン６を中心として内側に閉じるように回動すると、被覆部５１は、リンク部材４Ａの外側を向いた一側面を支持した状態で弾性復帰し、リンク部材４Ａと共に内側に閉じる。
【００２２】
次に、橋脚２に対して橋桁１が移動した際の橋桁連結装置の動作について説明する。
橋桁１が橋脚２に対して通常位置に位置する非作動時には、上下方向に回動自在に連結されたリンク部材４同士が、弾性部材５に支持されて互いに直交して並んで配置されており、橋桁連結装置が長さ方向に縮んだ状態となってる。また、上下方向に直交する方向に回動自在に連結されたリンク部材４同士は、互いが直線に並んで配置されている。
【００２３】
この状態から、ブラケット１１が橋脚２から離れるように橋桁１が長さ方向に移動すると、上下方向に直交する方向に回動自在に連結されたリンク部材４同士が、互いが外側に開くように連結ピン６を中心として回動して、橋桁連結装置が橋桁１の長さ方向に延びる。これに伴い、弾性部材５の被覆部５１は、弾性変形して外側に開く。上下方向に直交する方向に回動自在に連結されたリンク部材４同士は、互いが直線に並んだ状態を保っている。
【００２４】
また、橋桁１が橋脚２に対して左右方向（図１の紙面に直交する方向）に移動すると、上下方向に直交する方向に回動自在に連結されたリンク部材４同士が、互いが外側に開くように連結ピン６を中心として回動して、橋桁連結装置が長さ方向に延びる。上下方向に直交する方向に回動自在に連結されたリンク部材４同士は、互いが直線に並んだ状態を保っている。
【００２５】
本実施形態によれば、各リンク部材４が上下方向に回動自在に隣のリンク部材４が連結される第１連結部４２と、上下方向に直交する方向に回動自在に隣のリンク部材４が連結される第２連結部４３とを備えることから、上下方向に沿った平面内だけでなく、面外への橋桁１の動きに橋桁連結装置を追従させることができる。このため、橋桁１の様々な動きに橋桁連結装置を追従させることができる。
【００２６】
また、本実施形態によれば、橋桁１の動きに追従して回動するリンク部材４に弾性部材５が押圧されて変形することで、橋桁連結装置に緩衝効果を発揮させることができる。
【００２７】
上記実施形態では、リンク部材４が正方形の断面形状を有した棒状部４１の長さ方向の一端側に第１連結部４２を備え、他端側に第２連結部４３を備えている場合について説明した。しかしながら、図６に示すリンク部材７のように、第１連結部７２の長さ方向の一端面から、第２連結部７３が延びている構成としてもよい。
【００２８】
第１連結部７２は、第１連結部４２と同様の形状を有しており、厚さ方向の中央部には貫通孔７２ａが設けられている。また、第２連結部７３は、第１連結部７２の一端面の厚さ方向の両端部から延びており、幅方向の中央部には貫通孔７３ａが設けられている。また、第２連結部７３の厚さ方向の外面には、拡径部７３ｂが設けられている。
【００２９】
図７に示すように、前側のリンク部材７（７Ａ）と後側のリンク部材７（７Ｂ）とは、リンク部材７Ｂが第２連結部７３同士の間に備えた第２連結部７３Ｃにリンク部材７Ａの第１連結部７２が進入し、貫通孔７２ａ及び第２連結部７３ａに連結ピン６が挿通されることで接続されている。
【００３０】
リンク部材４Ａ，４Ｂの場合と同様に、リンク部材７Ａとリンク部材７Ｂとの接続箇所には、弾性部材５を取り付けることができる。また、リンク部材７Ａとリンク部材７Ｂとの接続箇所に弾性部材５が取り付けられない場合には、連結ピン６の固着部６１が、拡径部７３ｂ内に収容される。
【００３１】
また、上記実施形態では、上下方向に回動自在に連結されたリンク部材４同士の接続箇所に、弾性部材５が取り付けられている場合について説明した。しかしながら、弾性部材５は、上下方向に直交する方向に回動自在に連結されたリンク部材４同士の接続箇所にも取り付けることができる。
【００３２】
また、回動するリンク部材４に変形させられるのであれば、弾性部材５の構成は任意である。例えば、上記実施形態では、リンク部材４Ａ及びリンク部材４Ｂが開く方向の一側面を被覆部５１で覆われている場合について説明したが、他の一側面又は複数の側面を覆う構成としてもよい。具体的には、リンク部材４Ａ及びリンク部材４Ｂの閉じる方向の一側面を被覆部５１で覆ってもよい。また、弾性部材５が支持部５１ａを備えない構成としてもよい。また、弾性部材５のリンク部材４への取付方法は任意であり、取付部５２を備えない構成としてもよい。
【００３３】
また、リンク部材４は、上下方向に回動自在にブラケット１１，２１に連結する必要はなく、上下方向に直交する方向に回動自在に連結してもよい。また、橋桁連結装置で橋桁１を連結する対象は橋脚２には限定されず、例えば他の橋桁であってもよい。また、リンク部材４同士を回動自在に連結する方法も任意であり、連結ピン６を用いないでリンク部材４同士を回動自在に連結できるように構成してもよい。
【００３４】
また、上記実施形態では、橋桁連結装置が備える全てのリンク部材４が、第１連結部４２での連結対象に対する回動方向と第２連結部４３での連結対象に対する回動方向が異なる場合について説明した。しかしながら、一部のリンク部材４が第１連結部４２での連結対象に対する回動方向と第２連結部４３での連結対象に対する回動方向とを異ならせていてもよい。また、第１連結部４２での連結対象に対する回動方向と第２連結部４３での連結対象に対する回動方向は、互いに交差しているのであれば、必ずしも直交している必要はない。
【符号の説明】
【００３５】
１                  橋桁
１１                ブラケット
２                  橋脚
２１                ブラケット
４，４Ａ，４Ｂ      リンク部材
４１                棒状部
４２                第１連結部
４２ａ              貫通孔（第１の挿通孔）
４３                第２連結部
４３ａ              貫通孔（第２の挿通孔）
４３ｂ              拡径部
５                  弾性部材
５１                被覆部
５２                取付部
５１ａ              支持部
５２ａ              貫通孔
６                  連結ピン
６１                固着部
７，７Ａ，７Ｂ      リンク部材
７２                第１連結部
７２ａ              貫通孔
７３                第２連結部
７３ａ              貫通孔
７３ｂ              拡径部
【図１】
0005501914.tif 000002
【図２】
0005501914.tif 000003
【図３】
0005501914.tif 000004
【図４】
0005501914.tif 000005
【図５】
0005501914.tif 000006
【図６】
0005501914.tif 000007
【図７】
0005501914.tif 000008